(57)【特許請求の範囲】
【請求項１】
遊技装置を制御するための制御基板と、
前記制御基板と他の電気的装置或いは電気的部品とを電気的に接続するための接続部材と、
前記制御基板に形成され、前記接続部材の端末部を接続可能とする接続部とを備えた弾球遊技機において、
前記制御基板を被覆するカバー体と、
前記カバー体の前記制御基板が配設された側に形成されて、前記接続部材の端末部以外の少なくとも一部が収納可能な収納空間と、
前記カバー体に形成されて、前記接続部を露出する第１の開口領域と前記接続部の近傍部分を露出する第２の開口領域とが連通した開口部とを備え、
前記接続部材の少なくとも一部が前記収納空間内に収納された状態において、前記接続部材は、前記収納空間から前記開口部の前記第２の開口領域を通って前記収納空間の外側に引き出され、前記収納空間の外側で引き出された方向と略反対方向に屈曲することで、前記カバー体の外側に突出した屈曲部分を形成し、前記開口部の前記第１の開口領域を通って前記収納空間に引き込まれて前記接続部に接続されるように構成される一方、
前記接続部に接続された前記接続部材は、前記屈曲部分によって前記第１の開口領域を介して前記接続部から取り外し可能としたことを特徴とする弾球遊技機。
【請求項２】
前記接続部材は、配線部材と前記配線部材の端末部に取り付けられて前記接続部に着脱自在に接続可能なコネクタ部材とから構成されたことを特徴とする請求項１に記載の弾球遊技機。
【請求項３】
前記第１の開口領域は、前記配線部材の端末部に取り付けられた前記コネクタ部材を挿入可能な大きさとしたことを特徴とする請求項２に記載の弾球遊技機。
【請求項４】
前記遊技装置を有する装飾部材に前記制御基板を取り付けると共に、前記制御基板を介して前記カバー体を取り付け、前記装飾部材と前記カバー体との間に前記収納空間を形成したことを特徴とする請求項１乃至３の何れかに記載の弾球遊技機。
【発明の詳細な説明】
【０００１】
【発明の属する技術分野】
本発明は、弾球遊技機に関する。
【０００２】
【従来の技術】
一般に弾球遊技機に備えた電気的作動装置とこの電気的作動装置を制御するための制御基板との間は配線コードで接続されている。制御基板には、配線コードの一端が接続されるコネクタ部が備えられており、従来の弾球遊技機では、このコネクタ部がカバー部材によって覆われていた（例えば、特許文献１参照）。
【０００３】
【特許文献１】
特開２０００−１４０３５４号公報（段落［００３５］〜［００３８］、図６）
【０００４】
【発明が解決しようとする課題】
ところが、上述した従来の弾球遊技機では、カバー部材と制御基板との間の空間が狭い場合に、コネクタ部に接続された配線コードが、カバー部材の内側で過度に屈曲して過剰な負荷がかかる虞がある。これに対し、カバー部材と制御基板との間の空間を広くすると、カバー部材に対して制御基板が配設されていない側の空間に制約がでる虞があった。
【０００５】
本発明は、上記事情に鑑みてなされたもので、カバー部材と制御基板との間の空間の広さを抑えつつ、制御基板に接続された接続部材をカバー部材の内側に収容することが可能な弾球遊技機の提供を目的とする。
【０００６】
【課題を解決するための手段】
上記目的を達成するため、請求項１に係る弾球遊技機は、遊技装置を制御するための制御基板と、制御基板と他の電気的装置或いは電気的部品とを電気的に接続するための接続部材と、制御基板に形成され、接続部材の端末部を接続可能とする接続部とを備えた弾球遊技機において、制御基板を被覆するカバー体と、カバー体の制御基板が配設された側に形成されて、接続部材の端末部以外の少なくとも一部が収納可能な収納空間と、カバー体に形成されて、接続部を露出する第１の開口領域と接続部の近傍部分を露出する第２の開口領域とが連通した開口部とを備え、接続部材の少なくとも一部が収納空間内に収納された状態において、接続部材は、収納空間から開口部の第２の開口領域を通って収納空間の外側に引き出され、収納空間の外側で引き出された方向と略反対方向に屈曲することで、カバー体の外側に突出した屈曲部分を形成し、開口部の第１の開口領域を通って収納空間に引き込まれて接続部に接続されるように構成される一方、接続部に接続された接続部材は、屈曲部分によって第１の開口領域を介して接続部から取り外し可能としたところに特徴を有する。
【０００７】
請求項２の発明は、請求項１に記載の弾球遊技機において、接続部材は、配線部材と配線部材の端末部に取り付けられて接続部に着脱自在に接続可能なコネクタ部材とから構成されたところに特徴を有する。
【０００８】
請求項３の発明は、請求項２に記載の弾球遊技機において、第１の開口領域は、配線部材の端末部に取り付けられたコネクタ部材を挿入可能な大きさとしたところに特徴を有する。
【０００９】
請求項４の発明は、請求項１乃至３の何れかに記載の弾球遊技機において、遊技装置を有する装飾部材に制御基板を取り付けると共に、制御基板を介してカバー体を取り付け、装飾部材とカバー体との間に収納空間を形成したところに特徴を有する。
【００１２】
【発明の作用及び効果】
＜請求項１の発明＞
上記のように構成した請求項１に係る発明によれば、収納空間に収納された接続部材が、カバー体に形成された開口部の第２の開口領域から収納空間の外側を経て、開口部の第１の開口領域から接続部に接続されたので、従来の弾球遊技機のように接続部材がカバー体の内側で過度に屈曲される虞がなくなると共に、カバー体の内側の空間、即ち収納空間を小さくすることが可能となる。また、接続部材のうち、開口部から突出している部分の長さを極力短くすることができる。従って、接続部材の全体の長さを抑えることができる。さらに、接続部材の屈曲部分がカバー体の外部に突出しているので、この屈曲部分によって接続部材を接続部から取り外すことが容易となる。
＜請求項２及び３の発明＞
請求項２の発明によれば、接続部材は、配線部材と配線部材の端末部に取り付けられたコネクタ部材とから構成されたので、接続部材と接続部との着脱が容易となる。また、請求項３の発明によれば、請求項２と同様な効果が得られる。
【００１３】
＜請求項４の発明＞
請求項４の発明によれば、装飾部材とカバー体との間に形成された収納空間に、装飾部材に取り付けた制御基板と接続した配線部材を収納することが可能となる。
【００１７】
【発明の実施の形態】
以下、本発明を適用したパチンコ遊技機に係る一実施形態を、図１〜図１３に基づいて説明する。図１に示すように、本実施形態のパチンコ遊技機の遊技盤１１には、ガイドレール１２で囲まれたほぼ円形の遊技領域Ｒ１が形成され、この遊技領域Ｒ１内に表示装置１３が備えられている。
【００１８】
表示装置１３は、遊技領域Ｒ１において向かって若干右寄りに偏在され、表示装置１３の左側端部とガイドレール１２との間には、ランプ風車１９と風車１７とが上下に並んで設けられている。表示装置１３の下方には、始動入賞口１４、大入賞口１５及び外れ球受け入れ口１６が、上から順に間隔を開けて並べて設けられている。また、遊技領域Ｒ１のうち始動入賞口１４を挟んだ左右の両側には、上下に袖入賞口２０及び落とし入賞口２１が設けられ、始動入賞口１４と左右の袖入賞口２０，２０の間には、始動ゲート１８，１８が設けられている。さらに、遊技領域Ｒ１全体に亘って、図示しない複数の障害釘が起立している。
【００１９】
なお、パチンコ遊技機のうち遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａの上面には、上皿２７Ａから下皿２７Ｂに遊技球を移動するためのボタン２９が設けられ、上皿２７Ａの奥部には、スピーカ５９Ｓが備えられている。
【００２０】
さらに、図１０に示すように、パチンコ遊技機の後面の所定箇所には、電源装置１７５と、遊技の制御に係るメイン制御装置１５０、ランプ制御装置１５５、音声制御装置１５６、表示制御装置１７０、払出制御装置１５８等の各種制御装置が設けられている。
【００２１】
次に所要の各部位について詳説する。
始動ゲート１８は、門形構造をなしかつ検出スイッチを内蔵し、始動ゲート１８を通過した遊技球が検出スイッチにて検出される。そして、その検出信号に基づいて、後述する普通図柄表示領域２４の図柄が変動表示される。
【００２２】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００２３】
始動入賞口１４に遊技球が入賞すると、始動入賞口１４内に設けた検出スイッチが遊技球を検出し、その検出信号に基づいて表示装置１３が後述するように図柄を変動表示する。なお、表示装置１３が図柄を変動表示している間に、始動入賞口１４に入賞した入賞球は、例えば、４個まで累積カウントされる。
【００２４】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００２５】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた検出スイッチが遊技球の入賞を検出すると、前述した終了条件を満たしてラウンドが終了した後で、連続して次のラウンドが実行される。また、計数入賞口内に設けた検出スイッチが遊技球の入賞を検出すると、継続入賞口への入賞球と合わせて、大入賞口１５への入賞球がカウントされ、これらが前記したように計１０個に達したか否かがチェックされる。
【００２６】
表示装置１３は、全体として枠形構造をなした装飾枠２３（本発明の「装飾部材」に相当する）の後端面に、図示しない液晶モジュール（詳細には、ＴＦＴ−ＬＣＤモジュール）を組み付けてなる。液晶モジュールのうち、装飾枠２３に形成された表示窓２３Ｗで取り囲まれた前面部分は、表示部３４となっており、遊技者は、装飾枠２３の表示窓２３Ｗを通して表示部３４に表示された画像を見ることができる。
【００２７】
装飾枠２３は、遊技盤１１に形成された図示しない取付窓に嵌め込まれて、周縁部から張り出したフランジ部４９（図２を参照）を遊技盤１１面に突き当てて固定されている。装飾枠２３の上辺部分と両側辺部分は、遊技盤１１から前方に突出している。これにより、表示部３４の前側を遊技球が流下することが規制されると共に、装飾枠２３の上方及び側方から装飾枠２３の内側へ遊技球が直接進入しないように規制されている。
【００２８】
装飾枠２３の上辺部分と右側辺部分の内部には、遊技球が転動可能な遊技球通過路２６が形成されている。また、装飾枠２３の下辺部分には、遊技球が遊転可能な上側ステージ２５Ｕと下側ステージ２５Ｄとが上下２段に形成されている。そして、表示装置１３の上方から流下した遊技球は、装飾枠２３の上辺部分の中央に斜め上方を向いて開放した入球口３９から装飾枠２３内に転入可能に構成され、入球口３９から転入した遊技球は、遊技球通過路２６を通過して上下のステージ２５Ｕ，２５Ｄに案内される。
【００２９】
表示部３４の表示画面には、図１に示すように、通常は、左、中、右の３つの特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、全ての特別図柄１３Ａ，１３Ｂ，１３Ｃが同じ図柄、即ち、ぞろ目になった場合に、遊技が「大当たり状態」になり、可動扉１５Ｔが開かれる。
【００３０】
表示部３４のうち、特別図柄１３Ａ，１３Ｂ，１３Ｃの表示領域の左下隅には、普通図柄表示領域２４が設けられている。この普通図柄表示領域２４は、始動ゲート１８内に設けた検出スイッチが遊技球の通過を検出したときに、例えば、「０」〜「９」までの数字を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。また、普通図柄表示領域が変動表示している間に始動ゲート１８を通過した遊技球は、例えば、４つまで累積カウントされ、図示しないＬＥＤの点灯数で表示される。
【００３１】
さて、装飾枠２３に形成された遊技球通過路２６は、装飾枠２３の上辺部分に形成された上辺通過路４０と装飾枠２３の右側辺部分に形成された右側辺通過路５０とから構成される。
【００３２】
まず、上辺通過路４０について説明する。上辺通過路４０は、装飾枠２３の上辺のほぼ中央部分から装飾枠２３の右側辺に向かって延びており、全体として、右側辺に向かうに従って下方に傾斜している。また、上辺通過路４０は、前方に開放しており、上辺通過路４０を通過する遊技球が、前側から視認可能となっている。
【００３３】
詳細には、上辺通過路４０は、入球口３９の真下位置から上辺の途中部分まで延びた上側通路４１と、上側通路４１の下方に設けられて、上辺の途中部分から右端部まで延びた下側通路４２とを備える。これら上下に配設された上側通路４１と下側通路４２との間には、連絡部材４３が設けられている。そして、この連絡部材４３によって、上側通路４１と下側通路４２とが連絡可能となっている。
【００３４】
連絡部材４３は、所謂、獅子おどし構造をなしており、遊技盤１１に直交する軸を中心として回動可能に備えられている。連絡部材４３の左端部には、図示しない錘が備えられており、右端部には、遊技球を受け入れ可能な球受凹部４４が形成されている。連絡部材４３は、常には、錘によって球受凹部４４が上方位置となるように付勢されている（図１の状態）。この状態のときには、上側通路４１と球受凹部４４とが連絡されている。遊技球が球受凹部４４に受け入れられると、遊技球の自重によって連絡部材４３が回動して、球受凹部４４が下方位置となる（図９の状態）。すると、球受凹部４４と下側通路４２とが連絡され、遊技球が球受凹部４４に形成された傾斜によって下側通路４２に向けて排出される。
【００３５】
図２に示すように、下側通路４２の上面には、下側通路４２の前縁部から奥側に向かって延びた複数の突条４５が形成されている。また、図３に示すように、下側通路４２の奥側の壁部４７には、前方に向かって突出した複数の突起部４６が形成されている。これら突条４５と突起部４６とは、下側通路４２に沿って交互に配設されている。そして、下側通路４２を転動する遊技球は、これら突条４５と突起部４６とに交互に接触することで流下速度を落とし、転動方向を変えながら下側通路４２の下端部へ向かって転がる。なお、下側通路４２の奥側の壁部４７の裏側には、複数のＬＥＤ（図示せず）が備えられており、例えば、透光性の樹脂で構成された壁部４７を通して、ＬＥＤの光が遊技者側に照射されるように構成されている。
【００３６】
次に、右側辺通過路５０について説明する。右側辺通過路５０は、下側通路４２の下端部の右側に設けられ、図３に示すように、装飾枠２３の奥行き方向に延びた後方誘導路５１と前方誘導路５２とを上下に備える。
【００３７】
後方誘導路５１は、下側通路４２の下端部よりも若干下方位置に配設されて、装飾枠２３の前側から奥側に向かって下方に傾斜している。後方誘導路５１は、図２及び図３に示すように、中央部分が平坦面をなし、両側部が円弧状に湾曲している。また、後方誘導路５１の上面には、両側部から中央部に向かって奥側へ斜めに延びた複数の突条５３が形成され（図９を参照）、これら突条５３が、後方誘導路５１の奥端部に向かって左右交互に配設されている。そして、後方誘導路５１を転動する遊技球は、これら突条５３に接触することで流下速度を落とし、転動方向を変えながら、後方誘導路５１の奥端部へ向かって転動する。なお、後方誘導路５１は、例えば、無色透明な樹脂で構成されている。
【００３８】
後方誘導路５１の奥端部より後側には、遊技球が通過可能な樋部５４が上下方向に延びている。樋部５４は、所謂、漏斗構造をなす。即ち、樋部５４の開口広さは、上端部から下方に向かうに従って次第に狭くなり、途中で遊技球１つ分の大きさとなって下端部まで延びている。そして、後方誘導路５１を転動して樋部５４の上端開口から樋部５４内に進入した遊技球は、樋部５４内を真下に流下して、前方誘導路５２の奥端部（上端部）に落下する。
【００３９】
なお、図４に示すように、樋部５４の後側には、ＬＥＤ基板２０２に実装された複数のＬＥＤ６２が備えられており、このＬＥＤ６２の光が、右側辺通過路５０の奥側から前方に向かって照射されるように構成されている。なお、本実施形態では、後方誘導路５１と樋部５４とが一体的に形成されている。
【００４０】
前方誘導路５２は、後方誘導路５１の真下に配設されて、装飾枠２３の奥側から前側に向かって階段状に下っている（図７を参照）。前方誘導路５２の上面には、半球体形状をなした複数の小突部５５が突出形成されている。また、前方誘導路５２の両側部寄り位置には、サイド突部５７，５７が起立形成されている。さらに、前方誘導路５２の前端縁の中央には、三角柱形状をなしたセンター突部５６が起立形成されている（図４を参照）。そして、これら小突部５５、サイド突部５７，５７及びセンター突部５６によって、前方誘導路５２を転動する遊技球の転動方向がランダムに変えられ、遊技球は前方誘導路５２の前端部の様々な位置から下方へ流下される。
【００４１】
ここで、センター突部５６は、頂点の一つが、前方誘導路５２の奥側を向くように形成されている。これにより、センター突部５６に衝突した遊技球をスムーズにセンター突部５６の左右何れかの部分に振り分けることができる。また、センター突部５６及びサイド突部５７，５７の前側には、図３に示すように「木」を模った樹脂製のキャラクター部材５８が取り付けられており、弾球遊技機の前側から見たときに、センター突部５６及びサイド突部５７，５７が見えなくなるように構成されている。また、図２に示すように、前方誘導路５２の左側辺の前寄り部分には、垂直壁６０が起立しており、この垂直壁６０によって遊技球が前方誘導路５２の側方へ落下することが防止されている。さらに、図７に示すように、前方誘導路５２の下方には、ＬＥＤ基板２０１に実装された複数のＬＥＤ６１が備えられており、これらＬＥＤ６１の光が、例えば、透光性の樹脂で構成された前方誘導路５２を透過して上方へ向けて照射される。なお、センター突部５６及びサイド突部５７，５７は、前方誘導路５２を転動する遊技球を振り分け誘導する誘導手段と、キャラクター部材５８を前方誘導路５２に取り付ける際にキャラクター部材５８を取り付け位置で支持する支持手段とを備えた構成にし、１つの部材で遊技球の誘導とキャラクター部材５８の支持との２つの役割を持たせることも可能である。
【００４２】
前方誘導路５２より下方には、前方誘導路５２の前端部から流下した遊技球を受けて、装飾枠２３の下辺に形成された上側ステージ２５Ｕへ案内する上側ステージ案内路６３と、下側ステージ２５Ｄへ案内する下側ステージ案内路６４とが上下２段に形成されている。
【００４３】
上側ステージ案内路６３は、前方誘導路５２の前側に設けられた前通路６５と、前通路６５と連絡して前方誘導路５２の側方に設けられた側方通路６６とから構成される。前通路６５は、遊技盤１１面から突出して設けられ、かつ上方に開放している。また、前通路６５は、前方誘導路５２のセンター突部５６よりも左側の部分に形成され、装飾枠２３の下辺部分へ向かうに従って下方に傾斜している。従って、前方誘導路５２のセンター突部５６よりも左側の部分から流下した遊技球のみが前通路６５に入球可能となっている。また、前通路６５の下端部は、後方に向かって下方に傾斜しており、図４に示すように、前通路６５の下端部の角には、遊技球の転動方向を、装飾枠２３の後方側へ向けるためのコーナー突部６５Ｈが形成されている。なお、本実施形態では、前通路６５は、図８に示すように、上方と後方とが開放した前通路構成部材６５Ｋを、前方誘導路５２の下方の壁面に取り付けることで形成されている。
【００４４】
一方、側方通路６６は、前方誘導路５２の左側辺に沿って前後方向に延びた両端開放の円筒部材６６Ｔによって構成されている。そして、側方通路６６の前端部、即ち、円筒部材６６Ｔの前端開口が前通路６５の下端部に連絡し、後端部、即ち、円筒部材６６Ｔの後端開口が上側ステージ２５Ｕの右端部位置に連絡している。また、図８に示すように、円筒部材６６Ｔの内側面には、円筒部材６６Ｔの軸方向に沿ってレール部６８が突出形成されており、このレール部６８が円筒部材６６Ｔの前端開口から後端開口向かうに従って下方に傾斜している。これにより、遊技球は、レール部６８の傾斜によって側方通路６６の前端位置から後端位置に向かって転動する。
【００４５】
下側ステージ案内路６４は、前通路６５の真下位置に設けられ、前通路６５と略平行に延びている。下側ステージ案内路６４は、遊技盤１１面から前方に突出すると共に、前通路６５よりも左側の位置から装飾枠２３の下辺部分に向かって延びている。また、下側ステージ案内路６４は、装飾枠２３の下辺部分に向うに従って下方に傾斜している。そして、図８に示すように、前記円筒部材６６Ｔの前端開口部分の真下位置に形成された貫通口６７によって、下側ステージ案内路６４と下側ステージ２５Ｄの右端部とが連絡されている。ここで、下側ステージ案内路６４のうち、前方誘導路５２のセンター突部５６よりも左側の部分は上方を前通路６５によって覆われている。従って、前通路６５からはみ出た部分、即ち、前方誘導路５２のセンター突部５６よりも右側の部分から流下した遊技球のみが下側ステージ案内路６４に入球可能となっている。
【００４６】
次に、装飾枠２３の下辺部分に形成された上側ステージ２５Ｕ及び下側ステージ２５Ｄについて説明する。下側ステージ２５Ｄは、装飾枠２３の左右両側辺を繋ぐように延びており、左右の両端部から中央部に向かって下るように緩やかに湾曲している。また、下側ステージ２５Ｄの中央部分には、下側ステージ２５Ｄの奥側から前方に向かうに従って若干下方に傾斜した中央遊転部８０が形成されている。下側ステージ２５Ｄのうち中央遊転部８０の左右両側部分の前端縁には、上方に向かって起立した流下防止壁８１が形成されており、下側ステージ２５Ｄを転動する遊技球が、中央遊転部８０以外の部分から装飾枠２３の下方に流下し難いように構成されている。また、下側ステージ２５Ｄの奥部には、下側ステージ２５Ｄに沿って円弧状に湾曲した下側ステージランプ８２が備えられている。下側ステージランプ８２は袋形状をなしており、図８に示すように、上面が両端部から中央部に向かうに従って段付状に下っている。また、下側ステージランプ８２の前面は、下側ステージ２５Ｄに対してほぼ垂直な平坦面となっている。下側ステージランプ８２は、例えば、透光性の樹脂で構成されており、下側ステージランプ８２の裏側には、図５に示すように、複数のＬＥＤ４８が実装されたＬＥＤ基板２００が備えられている。そして、ＬＥＤ４８の光が下側ステージランプ８２の前面を透過して、遊技者側に照射されるように構成されている。
【００４７】
上側ステージ２５Ｕは、下側ステージ２５Ｄよりも奥側でかつ下側ステージランプ８２の上方に設けられている。上側ステージ２５Ｕも、下側ステージ２５Ｄと同様に、装飾枠２３の左右両側辺を繋ぐように形成されており、全体として、両端部から中央部に向かって下方に傾斜している。より詳細には、上側ステージ２５Ｕの中央部分には、右から順番に右転動部８３Ｒ，中央転動部８３Ｃ、左転動部８３Ｌが形成されている。これら各転動部８３Ｌ，８３Ｃ，８３Ｒは、上側ステージ２５Ｕの中央部分に等間隔に配設され、上面が略円弧状に湾曲して凹形状をなしている。また、各転動部８３Ｌ，８３Ｃ，８３Ｒには、上側ステージ２５Ｕの奥側から前端部に向かうに従って下方に傾斜した球遊転部８６が形成されている。
【００４８】
上側ステージ２５Ｕのうち、上側ステージ２５Ｕの右端部と右転動部８３Ｒとの間には右スロープ部８７Ｒが形成され、左端部と左転動部８３Ｌとの間には左スロープ部８７Ｌが形成されている。各スロープ部８７Ｒ，８７Ｌは、何れも上側ステージ２５Ｕの中央部分に向かって下方に傾斜している。
【００４９】
中央転動部８３Ｃの両側には隆起部８４Ｒ，８４Ｌが形成されている。隆起部８４Ｒ，８４Ｌは、山形状をなしており、各転動部８３Ｌ，８３Ｃ，８３Ｒよりも盛り上がっている。中央転動部８３Ｃと左転動部８３Ｌとの間に形成された左隆起部８４Ｌの上面は、緩やかな略円弧状をなしており、遊技球が容易に中央転動部８３Ｃと左転動部８３Ｌとの間を移動できるようになっている。
【００５０】
これに対し、中央転動部８３Ｃと右転動部８３Ｒとの間に形成された右隆起部８４Ｒは、以下のようである。即ち、右隆起部８４Ｒの上面のうち、右転動部８３Ｒ側の部分は、左隆起部８４Ｌと同様に、中央転動部８３Ｃに向かうに従って緩やかに上るように傾斜している。一方、右隆起部８４Ｒの上面のうち、中央転動部８３Ｃ側の部分は、右転動部８３Ｒ側の部分の傾斜に比べて傾斜角度の大きい段差壁１００となっている。即ち、段差壁１００と右隆起部８４Ｒの右転動部８３Ｒ側の部分とが一体的に構成されている。これにより、上側ステージ２５Ｕの右端部寄り位置から左側へ向かって転動する遊技球は、容易に右隆起部８４Ｒを乗り越えることができるが、上側ステージ２５Ｕの左側から右側へ向かう遊技球は、右隆起部８４Ｒに形成された段差壁１００によって、右隆起部８４Ｒを乗り越えることが困難となる。
【００５１】
上側ステージ２５Ｕの前端縁のうち、スロープ部８７Ｒ，８７Ｌ及び隆起部８４Ｒ，８４Ｌが形成された部分には、上方に向かって垂直に起立した落下防止壁８５が形成されている。この落下防止壁８５により遊技球が各転動部８３Ｌ，８３Ｃ，８３Ｒ以外の場所から、上側ステージ２５Ｕの下方へ流下することが防止されている。
【００５２】
図２に示すように、上側ステージ２５Ｕのうち、中央転動部８３Ｃの前方には、誘導部９０が形成されている。誘導部９０は、上側ステージ２５Ｕの前端部から前方に向かって突出している。そして、先端部に向かうに従って若干下方へ傾斜すると共に、先端部が真下へ向かうように湾曲している（図５を参照）。
【００５３】
図４に示すように、誘導部９０は、中央転動部８３Ｃの前縁部の全体から前方に突出して、先細り形状をなしている。そして、中央転動部８３Ｃの上面と誘導部９０の上面、より詳細には、中央転動部８３Ｃに形成された球遊転部８６と誘導部９０の基端部分に形成された幅広部９０Ｈとが面一となっている。これにより、球遊転部８６を転動する遊技球を、スムーズに誘導部９０へ移動させることができる。
【００５４】
誘導部９０の上面には、Ｖ字溝９１が形成されている。このＶ字溝９１は、中央転動部８３Ｃに形成された球遊転部８６の途中部分から誘導部９０の先端まで延びている。このＶ字溝９１は、遊技球の一部を受け入れ可能な大きさとなっており（図５を参照）、このＶ字溝９１によって、誘導部９０上を転動する遊技球が、誘導部９０の途中部分から落下し難くなっている。さらに、図５に示すように誘導部９０の裏側には、リブ９３が形成されており、誘導部９０の補強がなされている。なお、図５に示すように、誘導部９０を転動する遊技球は、一部がＶ字溝９１に受け入れられている。
【００５５】
誘導部９０の先端部は、図５に示すように、下側ステージ２５Ｄの前端縁の略垂直上方に位置している。これにより、誘導部９０から流下された遊技球が、下側ステージ２５Ｄ上に落下又は接触しないようになっている。また、誘導部９０の先端部と下側ステージ２５Ｄとの間の距離は、図５に示すように、遊技球の直径よりもやや大きくなっている。これにより、下側ステージ２５Ｄのうち、誘導部９０の真下位置からも遊技球が流下可能となっている。
【００５６】
上側ステージ２５Ｕのうち、左右の転動部８３Ｌ，８３Ｒに対応した位置には、遊技球流下部９４，９４が形成されている。遊技球流下部９４，９４は、上側ステージ２５Ｕと下側ステージ２５Ｄとの間に掛け渡されて、所謂、アーチ状をなしている（図２を参照）。詳細には、遊技球流下部９４，９４は、誘導部９０と同様に、上側ステージ２５Ｕの前端部から若干下方に傾斜しながら前方へ突出し、途中で湾曲して真下へ向かって延びている。そして、遊技球流下部９４の下端部が、下側ステージ２５Ｄの前端部に設けられて流下防止壁８１の一部を構成する前面構成板９９に連絡されている。また、遊技球流下部９４と下側ステージ２５Ｄとの間には、遊技球が通過可能な大きさの空間が形成されている（図６を参照）。
【００５７】
ここで、遊技球流下部９４は、下端部が流下防止壁８１に連絡していること以外は、誘導部９０とほぼ同一な構成となっている。即ち、遊技球流下部９４の上面にはＶ字溝９４Ｖが形成されており、左右の転動部８３Ｌ，８３Ｒに形成された球遊転部８６，８６の途中から遊技球流下部９４の下端部まで延びている。また、遊技球流下部９４の基端側に形成された幅広部分９４Ｈは、左右の転動部８３Ｌ，８３Ｒに形成された球遊転部８６，８６と面一となっている。さらに、遊技球流下部９４の裏側には、リブ９４Ｒが形成されている。
【００５８】
なお、本実施形態では、図８に示すように、上側ステージ２５Ｕ、誘導部９０、遊技球流下部９４及び前面構成板９９とが一体形成されている。これにより、これらを別部品とした場合に比較して、部品点数の削減が図られると共に、組み付け作業の削減が図られる。なお、前面構成板９９は、流下防止壁８１の一部を構成すると共に、フランジ部４９の一部も構成している。
【００５９】
ところで、図１１に示すように、装飾枠２３には、複数の基板２００〜２０５が組み付けられている。具体的には、装飾枠２３の下辺には、下側ステージランプ８２を構成するＬＥＤ基板２００が備えられている。前方誘導路５２の下方には複数のＬＥＤ６１を実装したＬＥＤ基板２０１が備えられ（図７を参照）、樋部５４の奥側には複数のＬＥＤ６２を備えたＬＥＤ基板２０２が備えられている（図４を参照）。
【００６０】
図４に示すように、装飾枠２３の左側辺部分の内側には、複数のＬＥＤ７０が実装されたＬＥＤ基板２０３が内蔵されている。上辺通過路４０の奥側の壁部４７の裏側には、複数のＬＥＤ７１が実装されたＬＥＤ基板２０４が備えられている（図１２を参照）。また、このＬＥＤ基板２０４の後側に重なるようにして、各ＬＥＤ基板２００〜２０４に備えられたＬＥＤを点灯制御するためのランプ制御基板１５５からの信号を中継制御する制御基板２０５が取り付けられている。そして、装飾枠２３の裏面側のうち、制御基板２０５の後側を含み、表示窓２３Ｗ以外のほぼ全体的な部分を覆うようにして、枠形板状のカバー体２０６が取り付けられており、制御基板２０５、ＬＥＤ基板２００等が装飾枠２３の後方側から保護されている。なお、カバー体２０６は、例えば、樹脂製であってもよい。なお、各ＬＥＤ基板２００〜２０４に備えられたＬＥＤ４８，６１，６２，７０，７１が本発明の「遊技装置」に相当する。
【００６１】
制御基板２０５と各ＬＥＤ基板２００〜２０４とは、両端部にコネクタ端末部（本発明の「コネクタ部材」に相当する）を備えたハーネス（本発明の「配線部材」に相当する）によってコネクタ接続されている。カバー体２０６のうち、制御基板２０５に設けられたコネクタ２１２と対向した部分には、前後方向に貫通した接続孔２０７が形成されている。接続孔２０７は、制御基板２０５に設けられたコネクタ２１２の大きさに対応した大きさで開口している。そして、カバー体２０６の後方側から、この接続孔２０７にハーネスのコネクタ端末部が挿入されて、制御基板２０５のコネクタ２１２に接続されている。
【００６２】
ところで、カバー体２０６には、接続孔２０７の他に開口部３００Ａ，３００Ｂが貫通形成されている。開口部３００Ａ，３００Ｂは、制御基板２０５の２箇所に設けられたコネクタ２０８，２０９（本発明の「接続部」に相当する）に対応した位置にそれぞれ形成されている。開口部３００Ａ，３００Ｂの開口広さは、コネクタ２０８，２０９よりも大きくなっている。つまり、各コネクタ２０８，２０９とその近傍部分が後方に露出されている。
【００６３】
具体的には、カバー体２０６の上辺右端位置に形成された開口部３００Ａは、横長形状をなし、図１３における開口部３００Ａの左側の領域に、制御基板２０５に設けられたコネクタ２０８が対向配置さている。また、カバー体２０６の上辺中央位置に形成された開口部３００Ｂは、横長形状をなし、図１３における開口部３００Ｂの上側の領域に、制御基板２０５に設けられたコネクタ２０９が対向配置されている。
【００６４】
ここで、開口部３００Ａに対向配置されたコネクタ２０８には、一端をＬＥＤ基板２０３に接続されたハーネス２１０が接続されている。詳細には、ハーネス２１０は、図１２に示すように装飾枠２３の左側辺部分の内部から装飾枠２３の後面側（図１２における上側）に引き出されて、カバー体２０６と装飾枠２３の後面との間の空間（本発明の「収納空間」に相当する）を通って、制御基板２０５に向かって延びている（図１３を参照）。そして、カバー体２０６に形成された開口部３００Ａの右側の領域を通って、カバー体２０６の内側から制御基板２０５が配設されていないカバー体２０６の外側（後側）に引き出されている。ハーネス２１０は、カバー体２０６の外側で開口部３００Ａ側へ屈曲しており、カバー体２０６の外側から開口部３００Ａの左側領域へ突入して制御基板２０５のコネクタ２０８に接続されている。ここで、開口部３００Ａのうち、コネクタ２０８が対向配置された左側の領域が、本発明の「第１の開口領域」に相当し、開口部３００Ａの右側の領域が、本発明の「第２の開口領域」に相当する。また、ＬＥＤ基板２０３が、本発明の「電気的装置」或いは「電気的部品」に相当する。
【００６５】
一方、開口部３００Ｂに対向配置されたコネクタ２０９には、ＬＥＤ基板２０４と接続されたハーネス２１１が接続されている。詳細には、ハーネス２１１は、制御基板２０５の前側（図１３における紙面奥側）から装飾枠２３の後面側に引き出されて、カバー体２０６と装飾枠２３の後面との間の空間を通って、後方に向かって延びている。そして、カバー体２０６に形成された開口部３００Ｂの下側領域を通って、カバー体２０６の内側から制御基板２０５が配設されていないカバー体２０６の外側に引き出されている。カバー体２０６の外側に引き出されたハーネス２１１は、カバー体２０６の外側で開口部３００Ｂ側に屈曲しており、カバー体２０６の外側から開口部３００Ｂの上側領域へ突入して制御基板２０５のコネクタ２０９に接続されている。ここで、開口部３００Ｂのうち、コネクタ２０９が対向配置された上側領域が、本発明の「第１の開口領域」に相当し、開口部３００Ｂの下側領域が、本発明の「第２の開口領域」に相当する。また、ＬＥＤ基板２０４は、本発明の「電気的装置」或いは「電気的部品」に相当する。なお、コネクタ２０８の一部及びコネクタ２０８に接続されたカバー体２０６の外側で屈曲されたハーネス部分が本発明の「接続部に接続された部分の近傍」に相当する。以上のように、互いに接続した接続部（コネクタ２０８，２０９）及びコネクタ部材（ハーネス端末部）が第１の開口領域（開口部３００Ａの左側領域、開口部３００Ｂの上側領域）から露出しており、開口部３００Ａ，３００Ｂより配線部材（ハーネス２１０，２１１）の一部が屈曲或いは湾曲した状態でカバー体２０６から突出し、配線部材（ハーネス２１０，２１１）の突出した屈曲或いは湾曲した部分以外は収納空間（カバー体２０６と装飾枠２３の後面との間の空間）に収納される位置関係となっている。
【００６６】
なお、上述した装飾枠２３を備えた表示装置１３の下方には、始動入賞口１４が配設されている。より詳細には、始動入賞口１４は、上側ステージ２５Ｕに形成された誘導部９０の先端部の真下位置に配設されている。これにより、誘導部９０上を転動して流下された遊技球が、始動入賞口１４に入賞し易くなっている。これに対し、遊技球流下部９４，９４は、始動入賞口１４の真上位置から左右にずれた位置に配設されている。これにより、遊技球流下部９４を転動して流下した遊技球よりも、誘導部９０を転動して流下した遊技球の方が、始動入賞口１４に入賞する可能性が高くなっている。
【００６７】
次に、上記構成からなるパチンコ遊技機の作用・効果を説明する。
操作ノブ２８を操作して、遊技球が連続的に遊技盤１１の遊技領域Ｒ１における上方部分に弾き出されると、それら遊技球は、障害釘、ランプ風車１９等に当たって向きを変えられ、ランダムな経路を通って遊技領域Ｒ１の下方に向かう。遊技領域Ｒ１を流下して、表示装置１３の上方に達した遊技球の幾つかは、装飾枠２３の上辺に衝突し、表示装置１３の側方へ流下される。また、幾つかの遊技球は、装飾枠２３の上辺に形成された入球口３９から、装飾枠２３の内部に進入する。
【００６８】
装飾枠２３の内部に進入した遊技球は、まず上側通路４１上を装飾枠２３の右側辺へ向かって転がる。上側通路４１の終端部に達すると、遊技球は連絡部材４３に形成された球受凹部４４上に落下する。球受凹部４４に遊技球を受け入れた連絡部材４３は、受け入れた遊技球の自重によって回動して、球受凹部４４を下方位置へと移動させる。そして、球受凹部４４が下方位置となると、球受凹部４４に収容された遊技球が、下側通路４２上に排出される。
【００６９】
下側通路４２上に排出された遊技球は、さらに装飾枠２３の右側辺に向かって転がる。ここで、遊技球は、下側通路４２に形成された突条４５及び壁部４７に形成された突起部４６に接触して、図９の太線で示すように、下側通路４２上をジグザグに転動する。そして、下側通路４２の右端部に達すると後方誘導路５１に向かって流下する。
【００７０】
後方誘導路５１上に落下した遊技球は、後方誘導路５１の傾斜によって装飾枠２３の奥側へと案内される。ここで、遊技球は、後方誘導路５１に沿って左右に交互に配設された突条５３に接触して、図９の太線で示すように、後方誘導路５１上をジグザグに転動する。そして、後方誘導路５１の下端部、即ち、後方誘導路５１の奥端部に達すると、遊技球は樋部５４を通って真下に流下され、前方誘導路５２の奥端部（上端部）に落下する。
【００７１】
前方誘導路５２上に落下した遊技球は、前方誘導路５２の傾斜によって、今度は前方に向かって転動する。ここで、遊技球は、小突部５５やサイド突部５７，５７に接触することで転動方向がランダムに変わる。これにより、前方誘導路５２上を転動した遊技球は、前方誘導路５２の前端部の様々な位置から下方へ流下する。
【００７２】
ここで、前方誘導路５２の前端部のうち、センター突部５６よりも右側の部分から流下した場合は以下のようである。即ち、前方誘導路５２から流下した遊技球は、下側ステージ案内路６４上に落下し、前方誘導路５２の前側を、装飾枠２３の下辺部分へ向かって転動する。そして、下側ステージ案内路６４の下端部に達した遊技球は、下側ステージ案内路６４の奥側へ転がり、貫通口６７を通って下側ステージ２５Ｄの右端部に排出される。
【００７３】
下側ステージ２５Ｄの右端部に達した遊技球は、下側ステージ２５Ｄの傾斜によって下側ステージ２５Ｄ上を左右に往復転動する。そして、左右へ転動する勢いを次第に落とすと共に中央遊転部８０の傾斜によって前方へ向かって転動し、中央遊転部８０の前端部から装飾枠２３の下方へ流下される。ここで、下側ステージ２５Ｄの前端部には流下防止壁８１が形成されているので、遊技球が中央遊転部８０以外の場所から流下することが防止されている。
【００７４】
さて、前方誘導路５２の前縁部のうち、センター突部５６よりも左側の部分から流下した場合は以下のようである。即ち、前方誘導路５２から流下した遊技球は、上側ステージ案内路６３を構成する前通路６５上に落下する。そして前通路６５の傾斜によって、装飾枠２３の下辺部分に向かって転動する。前通路６５の下端部に達すると、遊技球は後方側へ向かって転動し、側方通路６６に進入する。そして側方通路６６を通って、装飾枠２３の奥側へ向かって転動し、上側ステージ２５Ｕの右端部に排出される。
【００７５】
上側ステージ２５Ｕの右端部に達した遊技球は、右スロープ部８７Ｒの傾斜によって上側ステージ２５Ｕの中央部分に向かって転動する。そして、右スロープ部８７Ｒを転動した勢いで、右転動部８３Ｒ、右隆起部８４Ｒ、中央転動部８３Ｃ、左隆起部８４Ｌ、左転動部８３Ｌ、左スロープ部８７Ｌの順に転がって、左スロープ部８７Ｌの途中まで達し、再び左スロープ部８７Ｌから右側、即ち上側ステージ２５Ｕの中央部分に向かって転動する。
【００７６】
左スロープ部８７Ｌから上側ステージ２５Ｕの中央部分に向かって転動した遊技球のうちの幾つかは、左転動部８３Ｌと中央転動部８３Ｃとの間に形成された左隆起部８４Ｌを乗り越えることなく、左転動部８３Ｌ上で勢いを落とし、球遊転部８６の傾斜によって上側ステージ２５Ｕの前端縁へ向かう。そして、球遊転部８６及び遊技球流下部９４に形成されたＶ字溝９４Ｖ上に案内されて、左転動部８３Ｌから遊技球流下部９４へ移動し、遊技球流下部９４の前端位置から下方へ流下される。つまり遊技球は、下側ステージ２５Ｄの上方を横切るように通過してから下側ステージ２５Ｄの前端縁よりも前側を通って装飾枠２３の下方へ流下される。
【００７７】
また、幾つかの遊技球は、左隆起部８４Ｌを乗り越えて、再び中央転動部８３Ｃに進入する。そして、中央転動部８３Ｃに進入した遊技球は、さらに右隆起部８４Ｒへ向かって転動する。ここで、左隆起部８４Ｌを乗り越えて中央転動部８３Ｃに進入した遊技球のほとんどは、右隆起部８４Ｒに形成された段差壁１００を登る勢いを有していない。これにより、遊技球は右隆起部８４Ｒを乗り越えることなく、中央転動部８３Ｃ上で勢いを落とし、球遊転部８６の傾斜によって上側ステージ２５Ｕの前端縁へ向かう。そして、球遊転部８６及び誘導部９０に形成されたＶ字溝９１に案内されて、中央転動部８３Ｃから誘導部９０へ移動し、誘導部９０の前端位置から下方に向かって流下される。つまり、遊技球は、下側ステージ２５Ｄの上方を横切るように通過してから、下側ステージ２５Ｄの前端縁よりも前側を通って装飾枠２３の下方へ流下される。
【００７８】
なお、ほとんどの遊技球は、上述したように中央転動部８３Ｃから誘導部９０を通って、或いは左転動部８３Ｌから遊技球流下部９４を通って、装飾枠２３の下方へ流下されるが、例えば、複数の遊技球が上側ステージ２５Ｕ上を転動している場合には、それら遊技球同士の衝突によって、遊技球が右隆起部８４Ｒを乗り越える等して、右転動部８３Ｒから遊技球流下部９４を通って流下されることがある。
【００７９】
装飾枠２３から流下された遊技球は、始動入賞口１４の周辺部に向かって流下する。具体的には、上側ステージ２５Ｕから誘導部９０を通って流下された遊技球は、ほとんどが始動入賞口１４へ直接入賞する。これに対して、上側ステージ２５Ｕから遊技球流下部９４，９４を通って流下された遊技球は、始動入賞口１４の側方へ流下されるので、誘導部９０から流下された遊技球に比較して始動入賞口１４に入賞する可能性が低い。また、下側ステージ２５Ｄを転動した遊技球は、中央遊転部８０において様々な方向に向けて流下されるので、誘導部９０から流下された遊技球に比較して、始動入賞口１４に入賞する可能性が低い。なお、中央遊転部８０のうち誘導部９０の真下位置から前方に向かって流下された場合には、誘導部９０から流下された遊技球と同様に、始動入賞口１４へ入賞することがある。
【００８０】
ところで、装飾枠２３に取り付けられたＬＥＤ基板２０３，２０４と接続したハーネス２１０，２１１は、次のようにして、制御基板２０５に接続される。まず、各ハーネス２１０，２１１を装飾枠２３の後面側へ引き出す。次いで、各ハーネス２１０，２１１を、カバー体２０６と装飾枠２３の後面との間の空間を通してカバー体２０６の開口部３００Ａ，３００Ｂから、一端をカバー体２０６の外側へ引き出す。そして、カバー体２０６の外側で、ハーネス２１０，２１１をカバー体２０６側へ屈曲させて、各ハーネス２１０，２１１に備えたコネクタ端末部を、カバー体２０６の外側から再び開口部３００Ａ，３００Ｂに挿入し、制御基板２０５に設けられたそれぞれのコネクタ２０８，２０９に接続する。
【００８１】
このように、本実施形態によれば、収納空間に収納されたハーネス２１０が、カバー体２０６に形成された開口部３００Ａの右側の領域からカバー体２０６の外側へ引き出され、カバー体２０６の外側で屈曲して、開口部３００Ａのうちコネクタ２０８と対向した左側の領域から、カバー体２０６の内側に引き込まれてコネクタ２０８に接続されている。つまり、ハーネス２１０の一部はカバー体２０６の外側で屈曲しているので、従来の弾球遊技機のようにハーネス２１０がカバー体２０６の内側で過剰に屈曲される可能性が減少し、断線などが生じる可能性が軽減される。また、ハーネス２１０の屈曲した部分がカバー体２０６より突出しているので、この屈曲部分によりハーネス２１０をコネクタ２０８から取り外し易くすることが可能である。また、ハーネス２１０の屈曲部分をカバー体２０６の内側に収容した場合に比べて、カバー体２０６の内側の空間（収納空間）を小さくすることができる。これにより、装飾枠２３の後面側をコンパクトにすることができる。さらに、ハーネス２１０のうち、コネクタ端末部寄りの部分以外は、収納空間に収納されているので、ハーネス２１０を基板２０５，２００と同様に保護することができる。なお、制御基板２０５のコネクタ２０９に接続されたハーネス２１１は、開口部３００Ｂにおいて、開口部３００Ａにおけるハーネス２１０と同様な構成をなしているので、同様な効果を奏する。
【００８２】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態においては、弾球遊技機の一例としてパチンコ遊技機を例示したが、本発明はこれに限られず、例えばアレンジボール等に本発明を適用してもよい。
【００８３】
（２）前記実施形態では、上側ステージ２５Ｕと下側ステージ２５Ｄとが、表示装置１３の装飾枠２３に形成されていたが、この限りではなく、装飾枠２３以外の他の役物に形成してもよい。
【００８４】
（３）前記実施形態では、誘導部９０を始動入賞口１４の真上位置となるように配置して、始動入賞口１４へ入賞し易くなるように構成されていたが、例えば、始動ゲート１８や大入賞口１５の真上位置に配置して、始動ゲート１８や大入賞口１５へ入賞し易くなるように構成してもよい。
【００８５】
（４）前記実施形態では、誘導部９０は１つだけであったが、複数備えていてもよい。
【００８６】
（５）前記実施形態では、遊技球流下部９４は、２つ備えられていたが、１つでもよいし３つ以上であってもよい。
【００８７】
（６）前記実施形態では、上側ステージ２５Ｕの中央部分は、全体として波形状をなしていたが、下側ステージ２５Ｄと同様に、緩やかに湾曲した構成でもよい。
【００８８】
（７）前記実施形態では、誘導部９０の湾曲部が上方を向いていると共に、先端部分に向かうに従って徐々に装飾体の下方に向かうように湾曲した形状をなしているが、湾曲部が下方を向いていると共に、先端部分に向かうに従って徐々に装飾体の下方に向かうように湾曲した形状にしてもよい。
【００８９】
（８）前記実施形態では、右隆起部８４Ｒの中央転動部８３Ｃ側の部分に段差壁１００を形成して、遊技球が中央転動部８３Ｃ側から右隆起部８４Ｒを乗り越え難くなるように構成したが、例えば、右隆起部８４Ｒの中央転動部８３Ｃ側の部分に溝を設けて、遊技球がこの溝によって勢いを落として、右隆起部８４Ｒを乗り越え難くなるように構成してもよい。
【００９０】
（９）上記実施形態では、接続孔２０７が、コネクタ２１２の形状に合わせて、矩形状をなしていたが、例えば、Ｌ字形状でもよい。
【００９１】
（１０）上記実施形態では、装飾枠２３に本発明を適用していたが、これに限るものではなく、例えば、各制御基板１５０，１５５，１５６，１５８，１７５，１７０を収容する基板収容ボックスに本発明を適用してもよい。
【図面の簡単な説明】
【図１】本発明の一実施形態に係るパチンコ遊技機の正面図
【図２】装飾枠の斜視図
【図３】装飾枠の正面図
【図４】図３におけるＡ−Ａ断面図
【図５】図３におけるＤ−Ｄ断面図
【図６】図３におけるＢ−Ｂ断面図
【図７】図３におけるＣ−Ｃ断面図
【図８】装飾枠の分解斜視図
【図９】装飾枠と始動入賞口の正面図
【図１０】パチンコ遊技機の背面図
【図１１】装飾枠の側面図
【図１２】装飾枠の部分平断面図
【図１３】装飾枠の背面図
【符号の説明】
２３…装飾枠（装飾体）
４８，６１，６２，７０，７１…ＬＥＤ（遊技装置）
２１０，２１１…ハーネス（配線部材）
２０８，２０９…コネクタ（接続部）
２０３，２０４…ＬＥＤ基板（電気的装置、電気的部品）
【図１】
0003654445.tif 000002
【図２】
0003654445.tif 000003
【図３】
0003654445.tif 000004
【図４】
0003654445.tif 000005
【図５】
0003654445.tif 000006
【図６】
0003654445.tif 000007
【図７】
0003654445.tif 000008
【図８】
0003654445.tif 000009
【図９】
0003654445.tif 000010
【図１０】
0003654445.tif 000011
【図１１】
0003654445.tif 000012
【図１２】
0003654445.tif 000013
【図１３】
0003654445.tif 000014